(57)【要約】【課題】本発明は係止具を解除することにより、自動的に開放状態となるようにして、揮散薬剤が塗布あるいは保持された積層ハニカム状の揮散体に指先等が触れることなく、安全で楽に取り扱うことができる揮散器を得るにある。【解決手段】容器本体と、この容器本体に開放できるよう開放方向に付勢されて取付けられた開閉蓋と、この開閉蓋を閉状態に前記容器本体に係止する係止具と、一端部が前記容器本体内に固定され、他端部が前記開閉蓋の内壁面に固定された、消臭剤、芳香剤、防虫剤等の揮散薬剤が保持された積層ハニカム状の揮散体とで揮散器を構成している。【選択図】  図２
2004201949.tif 000002
【特許請求の範囲】
【請求項１】
容器本体と、この容器本体に開放できるよう開放方向に付勢されて取付けられた開閉蓋と、この開閉蓋を閉状態に前記容器本体に係止する係止具と、一端部が前記容器本体内に固定され、他端部が前記開閉蓋の内壁面に固定された、消臭剤、芳香剤、防虫剤等の揮散薬剤が保持された積層ハニカム状の揮散体とからなることを特徴とする揮散器。
【請求項２】
容器本体と、この容器本体に開放できるよう開放方向に付勢されたヒンジ部材を介して取付けられた開閉蓋と、この開閉蓋を閉状態に前記容器本体に係止する係止具と、一端部が前記容器本体内に固定され、他端部が前記開閉蓋の内壁面に固定された、消臭剤、芳香剤、防虫剤等の揮散薬剤が保持された積層ハニカム状の揮散体とからなることを特徴とする揮散器。
【請求項３】
容器本体と、この容器本体に開放できるよう開放方向に付勢されて取付けられた開閉蓋と、この開閉蓋を閉状態に前記容器本体に係止する係止具と、一端部が前記容器本体内に固定され、他端部が前記開閉蓋の内壁面に固定された、消臭剤、芳香剤、防虫剤等の揮散薬剤が保持された積層ハニカム状の揮散体と、この揮散体の開放時に少なくとも一部の外周部を覆う積層ハニカム状のカバー体とからなることを特徴とする揮散器。
【請求項４】
容器本体と、この容器本体に２３０度から３３０度開放できるよう開放方向に付勢されて取付けられた開閉蓋と、この開閉蓋を閉状態に前記容器本体に係止する係止具と、一端部が前記容器本体内に固定され、他端部が前記開閉蓋の内壁面に固定された、消臭剤、芳香剤、防虫剤等の揮散薬剤が保持された積層ハニカム状の揮散体とからなることを特徴とする揮散器。
【請求項５】
容器本体と、この容器本体に開放できるよう開放方向に付勢されたダンパー付きヒンジ部材を介して取付けられた開閉蓋と、この開閉蓋を閉状態に前記容器本体に係止する係止具と、一端部が前記容器本体内に固定され、他端部が前記開閉蓋の内壁面に固定された、消臭剤、芳香剤、防虫剤等の揮散薬剤が保持された積層ハニカム状の揮散体とからなることを特徴とする揮散器。
【発明の詳細な説明】
【０００１】
【発明の属する技術分野】
本発明は消臭剤、芳香剤、防虫剤等の揮散薬剤を揮散させることができる揮散器に関する。
【０００２】
【従来の技術】
従来、芳香剤、消臭剤等の薬剤を積層ハニカム状の揮散体に保持された揮散体が提案されている。また、両端部が支持板に固定された積層ハニカム状の揮散体に常温揮散性の殺虫性化合物が保持された防虫剤が提案されている。
【０００３】
［特許文献］  特開平９−３０８４２１号公報
【０００４】
【発明が解決しようとする課題】
従来の積層ハニカム状の揮散体では容器に収容されておらず、単に開放状態へ移行させることができるのみなので、芳香剤、消臭剤等の薬剤に触れてしまうおそれがあった。
また、防虫剤は揮散体を開放状態にする場合に、両端部の支持板を持って開放しなければならず、作業しづらいとともに、該作業時に殺虫性化合物が保持された揮散体に直接指先が触れやすく、指先に刺激を与えたり、皮膚刺激性が低い薬剤を使用しても指先を汚したりという欠点があった。
【０００５】
本発明は以上のような従来の欠点に鑑み、係止具を解除することにより、自動的に開放状態となるようにして、揮散薬剤が塗布あるいは保持された積層ハニカム形状の揮散体に指先等が触れることなく、安全で、楽に取り扱うことができる揮散器を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は容器本体と、この容器本体に開放できるよう開放方向に付勢されて取付けられた開閉蓋と、この開閉蓋を閉状態に前記容器本体に係止する係止具と、一端部が前記容器本体内に固定され、他端部が前記開閉蓋の内壁面に固定された、消臭剤、芳香剤、防虫剤等の揮散薬剤が保持された積層ハニカム状の揮散体とで揮散器を構成している。
【０００８】
【発明の実施の形態】
以下、図面に示す実施の形態により、本発明を詳細に説明する。
【０００９】
図１ないし図９に示す本発明の第１の実施の形態において、１は消臭剤、芳香剤、防虫剤等を常温揮散させることができる本発明の揮散器で、この揮散器１は四角浅皿状の容器本体２と、この容器本体２の後端部に常時２３０°〜３３０°開放できるように付勢されたヒンジ部材３を介して取付けられた開閉蓋４と、この開閉蓋４を閉状態に前記容器本体２に係止する係止具５と、一端部が前記容器本体２内に接着剤等で固定され、他端部が前記開閉蓋４の内壁面に接着剤等で固定された、消臭剤、芳香剤、防虫剤等の常温揮散薬剤６が保持された積層ハニカム状の揮散体７とで構成されている。
【００１０】
なお、積層ハニカム状の揮散体７に保持させる揮散薬剤６は噴霧、塗布、含浸、浸漬等によつて行っても良い。
また、積層ハニカム状の揮散体７の両端部は接着剤等で前記容器本体２内や前記開閉蓋４の内壁面に固定する以外に係止具や支持具を用いて着脱可能に取付けても良い。
【００１１】
揮散薬剤６としては、常温揮散性または加温揮散性の薬剤が用いられる。
ここで、本発明でいう常温揮散性薬剤とは、最終的に得た揮散器が使用される場所の雰囲気を人為的に加熱しなくても当該揮散器が使用される雰囲気温度下で揮散する薬剤を意味し、加温揮散性薬剤とは、最終的に得た揮散器が使用される場所の雰囲気においては適当な加熱手段により加熱しないと揮散しない薬剤を意味する。
なお、常温の意味は、室内温度の意味合いであって、冷蔵庫あるいは冷凍庫内の雰囲気下で使用される場合には、その冷蔵庫あるいは冷凍庫内の低温であっても揮散する薬剤も含むものである。
目的とする揮散器の用途に応じて、例えば、常温揮散性または加温揮散性の芳香剤、消臭剤、防虫剤、殺虫剤、殺菌剤、鮮度保持材、空気清浄剤等が用いられる。
【００１２】
芳香剤や消臭剤の具体例としては、ベンズアルデヒド、α−ピネン、ゲラニオール、シトロネラール、リナロール、リモネン、メントール酢酸リナリル、アミルシンナミックアルデヒド、アンスラニン酸メチル、イソオイゲノール、カプロン酸アリル、酢酸イソブチル、酢酸ベンジル、サリチル酸イソアミル、シトラール、デシルアルデヒド、ヒドロキシシトロネラール、酢酸イソアミル等を成分とするものや、芳香消臭効果のある植物精油、例えば、ビターアーモンド油、ヒノキ油、ナツメグ油、ゼラニウム油、ラベンダー油、ライム油、ペパーミント油、ベチパー油、スウィートオレンジ油、タイム油等が挙げられる。
【００１３】
防虫剤や殺虫剤の具体例としては、α−ピネン、オイゲノール、ツヨン、チモール、ヒノキチオール、シンナミックアルデヒド等を成分とするものや、防虫効果または殺虫効果のある植物精油、例えば、ナツメグ油、チョウジ油、セージ油、タイム油、ラベンダー油、バジル油、ヒノキ油等が挙げられる。
【００１４】
防虫効果または殺虫効果のある合成薬剤としては、ピレスロイド化合物、カーバメート化合物、有機リン系化合物、ＤＥＥＴ（Ｎ，Ｎ−ジエチルｍ−トルアミド）等の種種の薬剤が用いられる。
【００１５】
ピレスロイド化合物としては、アレスリン（ｄｌ−３−アリル−２−メチル−４−オキソ−２−シクロペンテニル  ｄｌ−シス／トランス−クリサンテマ−ト）、ピナミンフォルテ（ｄｌ−３−アリル−２−メチル−４−オキソ−２−シクロペンテニル  ｄ−シス／トランス−クリサンテマ−ト）、エキスリン（ｄ−３−アリル−２−メチル−４−オキソ−２−シクロペンテニル  ｄ−トランス−クリサンテマ−ト）、レスメトリン（（５−ベンジル−３−フリル）メチル  ｄ−シス／トランス−クリサンテマ−ト）、エトック（（＋）−２−メチル−４−オキソ−３−（２−プロピニル）−２−シクロペンテニル（＋）−シス／トランス−クリサンテマ−ト）、フタルスリン（（１，３，４，５，６，７−ヘキサヒドロ−１，３−ジオキソ−２−イソインドリル）メチル−ｄｌ−シス／トランス−クリサンテマ−ト）、ネオピナミンフォルテ（１，３，４，５，６，７−ヘキサヒドロ−１，３−ジオキソ−２−イソインドリル）メチル−ｄ−シス／トランス−クリサンテマ−ト）、フエノトリン（３−フエノキシペンジル−ｄ−シス／トランス−クリサンテマ−ト、ペルメトリン（３−フエノキシベンジル−ｄｌ−シス／トランス−３−（２，２−ジクロロビニル）−２，２−ジメチル−１−シクロプロパンカルボオキシラ−ト）、エンペントリン（１−エチニル−２−メチル−２−ペンテニル  ｄｌ−シス／トランス−クリサンテマ−ト等が用いられる。
【００１６】
カーバメート化合物としては具体的には、フエノブカーブ、カルバリル、キシリルカーブ、エチオフエンカーブ、メトルカーブ、プロメカーブ、プロポキサー等が用いられる。
【００１７】
有機リン化合物としては具体的には、クロルピリホス、シアノホス、ダイアジノン、ジクロルボス、フエニトロチオン、フエンチオン、マラチオン、ピリミホスメチル、プロチオホス、サリチオン、テトラクロルビンホス、トリクロルホン、プロモホス、プロペタンホス等が用いられる。
【００１８】
殺菌剤としては、次亜塩素ナトリウム、オルトフエニルフエノール、塩化ベンザルコニウム、ナフテン酸亜鉛、アルコール、アリルイソチオシアネート、チモール等が用いられる。
【００１９】
鮮度保存剤としては、イソプロピリジンーアミノオキシ酢酸−２−メトキシ−２−オキソエチルエステル、チオ硫酸銀またはチオスルファト銀錯塩、アリルイソチアシアネート、シスプロペニルホスホン酸等が用いられる。
【００２０】
前記積層ハニカム状の揮散体７の製造方法は、特に制限はなく、好ましくは、紙状材等に等間隔で筋状に接着剤を塗布して紙状材等を積層し、その積層した紙状材等に先ほどと半ピツチずらして等間隔で筋状に接着剤を塗布して次の紙状材等を積層し、を繰り返し、任意の厚みの積層ハニカム状物を得る工程と、揮散性薬剤を前記積層ハニカム状物に含浸、浸漬等により保持させる工程と、前記積層ハニカム状物を任意の形状に型抜きにより切断する工程とで製造される。
型抜きにより切断すると、自由に形状を設計することができ、より装飾的な揮散体を製造することができる。
【００２１】
前記ヒンジ部材３は図７および図８に示すように、前記容器本体２の一方の取付け部８に取付けられるケース体９と、このケース体９に回転可能に取付けられる、前記開閉蓋４の取付け部１０に取付けられる回転軸１１と、この回転軸１１に一体形成された支持軸１２と、この支持軸１２に回転可能に取付けられる前記容器本体２の他方の取付け部１３に取付けられる支持筒１４と、前記ケース体９の内底面に一端部が係止され、他端部が前記回転軸１１に係止された弾性力を付与するスプリング１５と、前記ケース体９と回転軸１１間および支持軸１２と支持筒１４間に必要に応じて充填される急激な開放を阻止するように抵抗を付与するグリース１６とで構成されている。
【００２２】
前記係止具５は図９に示すように、前記開閉蓋４の前面ほぼ中央部下面に下方へ突出するように形成された係止片１７と、この係止片１７と対応する部位の前記容器本体２に、該係止片１７と着脱可能に係合する係合部１８と、この係合部１８と前記係合片１７との係合状態を押し圧によって解除できるように、前記容器本体２に取付けられた操作片１９とで構成されている。
【００２３】
上記構成の揮散器１は設置する場所に置き、係止具５の操作片１９を押し圧して、容器本体２の係合部１８と係合している開閉蓋４の係止片１７との係止状態を解除すると、ヒンジ部材３の付勢力によって開閉蓋４が２３０°〜３３０°より好ましくは２５０°〜３１０°自動的に開放し、楽に開放できる。
なお、前記容器本体２あるいは前記開閉蓋４のどちらかの外面（設置対向面）に滑り止め部材を設けると１８０°を超え立脚する際に、その滑り止め部材により支持されて立脚しやすくなる。
滑り止め部材は設置面との摩擦係数の高いものが用いられ、ゴムを用いるのが好ましい。
また、前記容器本体２あるいは前記開閉蓋４の外面には設置した際のガタ付きを防止するピンを設けておくのが好ましい。さらに好ましくはこのピンと滑り止め部材を兼用したものを設けるのが好ましい。
【００２４】
この開閉蓋４の開放に連動して、積層ハニカム状の揮散体７は弧状に自動的に開放され、作業者の手の指先等が常温揮散薬剤６が塗布あるいは保持された揮散体７に触れることなく開放することができる。
また、揮散体７は密閉状態から開放状態へ移行することにより、２３０°〜３３０°の弧状に開放する。このため、１８０°以上開放された場合には容器本体および開閉蓋の周縁部により立脚し、より立体的に開放されるので、開放面積が大きく、効率よく常温揮散薬剤６を揮散させることができるとともに、設置面積も小さくて良く、装飾的要素が強くなるため好ましい。
【００２５】
【発明の異なる実施の形態】
次に、図１０ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００２６】
図１０ないし図１２に示す本発明の第２の実施の形態において、前記本発明の第１の実施の形態と主に異なる点は、一端部が容器本体２内に接着剤等によって固定され、他端部が開閉蓋４の内壁面に接着剤等で固定された揮散体７の上部および両側部を覆う積層ハニカム状のカバー体２０を用いた点で、このようなカバー体２０を用いて構成した揮散器１Ａにしても前記本発明の第１の実施の形態と同様な作用効果が得られるとともに、開放時や使用状態で誤って常温揮散薬剤６が保持された揮散体７に触れるのを確実に防止することができる。
また、常温揮散薬剤６を保持した積層ハニカム状揮散体７と、その積層ハニカム状揮散体７を覆う積層ハニカム状のカバー体２０を異なる色にすることにより、装飾的にも優れ好ましい。
さらに、積層ハニカム状揮散体７と、積層ハニカム状のカバー体２０とを同じ材質で形成することなく、常温揮散薬剤６を保持される積層ハニカム状揮散体７は薬剤保持力の高い素材を用い、積層ハニカム状のカバー体２０には保型力の強い（硬い）素材を用いるのが好ましい。
【００２７】
図１３および図１４に示す本発明の第３の実施の形態において、前記本発明の第２の実施の形態と主に異なる点は、揮散体７の上部を覆うことができる積層ハニカム状のカバー体２０Ａを用いた点で、このようなカバー体２０Ａを用いて構成した揮散器１Ｂにしてもよい。
【００２８】
図１５および図１６に示す本発明の第４の実施の形態において、前記本発明の第２の実施の形態と主に異なる点は、揮散体７の両側部を覆う積層ハニカム状のカバー体２０Ｂ、２０Ｂを用いた点で、このようなカバー体２０Ｂ、２０Ｂを用いて構成した揮散器１Ｃにしてもよい。
なお、揮散体７自体も１つであっても良く、複数個であっても良い。この複数個の場合には例えば、芳香剤を含浸させた揮散体１と、消臭剤を含浸させた揮散体１とをそれぞれ設けても良い。
また、複数個設ける設け方としては、特に制限がなく、並列に並べても良く、内側、外側等のように設けても良い。内側、外側等のように設けた際には揮散薬剤の揮散性が異なるものを組み合わせることができ、外側には比較的揮散し難いもの、内側には揮散し易いものとすると、それぞれの薬効を同時に終了させることもできる
【００２９】
図１７および図１８に示す本発明の第５の実施の形態において、前記本発明の第２の実施の形態と主に異なる点は、揮散体７の積層ハニカム状とカバー体２０Ｃの積層ハニカム状が異なるものを用いた点で、このように構成した揮散器１Ｄにしてもよい。
なお、本発明の実施の形態と逆の積層ハニカム形状の揮散体とカバー体を用いてもよい。
【００３０】
図１９ないし図２１に示す本発明の第６の実施の形態において、前記本発明の第２の実施の形態と主に異なる点は、円形状の容器本体２Ａと開閉蓋４Ａおよび揮散体７Ａを用いるとともに、リング状のカバー体２０Ｄを用いた点で、このように構成した揮散器１Ｅにしてもよい。
なお、積層ハニカム状揮散体７Ａの形状は特に制限はなく、円形、三角形状、不定形とする事ができる。
【００３１】
なお、前記本発明の各実施の形態ではスプリング１５を用いたヒンジ部材３について説明したが、本発明はこの構造に限らず、開閉蓋４、４Ａを常時９０°〜３３０°自動的に開放することができるように付勢することができるヒンジ部材であれば、コイルスプリング、トーションバー、油圧やエアーを用いたものであってもよい。
また、蝶番や薄肉部に形成されたヒンジ部と、常時９０°〜３３０°自動的に開放することができるように付勢する付勢機構を別体に形成したヒンジ部材３を用いても良い。
前記本発明の各実施の形態では常温揮散薬剤６を用いるものに付いて説明したが、本発明はこれに限らず、加温揮散性薬剤を用いても良い。この加温揮散性薬剤を用いる場合には、適当な加熱手段を組み合わせれば良く、例えば、使い捨てカイロのような発熱体を容器本体に取付けても良い。
さらに、揮散した薬剤が室内に拡散するように適当な拡散手段を組み合わせても良い。例えば、扇風機のようなフアン式拡散手段を取付けても良い。
【００３２】
【発明の効果】
以上の説明から明らかなように、本発明にあっては次に列挙する効果が得られる。
【００３３】
（１）容器本体と、この容器本体に開放できるよう開放方向に付勢されて取付けられた開閉蓋と、この開閉蓋を閉状態に前記容器本体に係止する係止具と、一端部が前記容器本体内に固定され、他端部が前記開閉蓋の内壁面に固定された、消臭剤、芳香剤、防虫剤等の揮散薬剤が保持された積層ハニカム状の揮散体とで構成されているので、係止具を解除することによって、開閉蓋を自動的に開放させることができるとともに、積層ハニカム状の揮散体を弧状に開放することができる。
したがって、揮散薬剤が塗布あるいは保持された揮散体に触れることなく使用状態にでき、安全に取り扱い使用することができる。
【００３４】
（２）前記（１）によって、安全で、楽に使用状態に設定することができる。
【００３５】
（３）前記（１）によって、開閉蓋を１８０°以上回動できるように設定することにより、揮散体の開放面積を大きく設定できる。
したがって、効率よく揮散薬剤を揮散することができる。
【００３６】
（４）請求項２も前記（１）〜（３）と同様な効果が得られる。
【００３７】
（５）請求項３も前記（１）〜（３）と同様な効果が得られるとともに、カバー体によって、より確実に揮散薬剤が保持された揮散体に触れるのを防止でき、より安全に取り扱い使用することができる。
【００３８】
（６）請求項４も前記（１）〜（３）と同様な効果が得られるとともに、２３０°〜３３０°に開放角度が設定されるため、さらに開放面積を広くすることができるとともに、揮散器の設置面積をコンパクトにすることができる。
【００３９】
（７）請求項５も前記（１）〜（３）と同様な効果が得られるとともに、係止具を解除するのみで、揮散薬剤が保持された揮散体に触れることなく自動的に揮散体を積層状態から開放状態へ移行することができるため、さらに安全に、楽に使用することができる。
【図面の簡単な説明】
【図１】本発明の第１の実施の形態の使用状態の平面図。
【図２】本発明の第１の実施の形態の使用状態の正面図。
【図３】本発明の第１の実施の形態の不使用状態の正面図。
【図４】本発明の第１の実施の形態の不使用状態の平面図。
【図５】図３の５−５線に沿う断面図。
【図６】図４の６−６線に沿う一部破断断面図。
【図７】本発明の第１の実施の形態のヒンジ部材の正面図。
【図８】図７の８−８線に沿う断面図。
【図９】本発明の第１の実施の形態の係止具の説明図。
【図１０】本発明の第２の実施の形態の使用状態の平面図。
【図１１】本発明の第２の実施の形態の使用状態の正面図。
【図１２】図１０の１２−１２線に沿う一部省略断面図。
【図１３】本発明の第３の実施の形態の使用状態の平面図。
【図１４】図１３の１４−１４線に沿う一部省略断面図。
【図１５】本発明の第４の実施の形態の使用状態の平面図。
【図１６】図１５の１６−１６線に沿う一部省略断面図。
【図１７】本発明の第５の実施の形態の使用状態の平面図。
【図１８】図１７の１８−１８線に沿う一部省略断面図。
【図１９】本発明の第６の実施の形態の使用状態の正面図。
【図２０】本発明の第６の実施の形態の不使用状態の平面図。
【図２１】図１９の２１−２１線に沿う断面図。
【符号の説明】
１、１Ａ、１Ｂ、１Ｃ、１Ｄ、１Ｅ：揮散器、
２、２Ａ：容器本体、    ３：ヒンジ部材、
４、４Ａ：開閉蓋、      ５：係止具、
６：常温揮散薬剤、      ７、７Ａ：揮散体、
８：一方の取付け部、    ９：ケース体、
１０：取付け部、        １１：回転軸、
１２：支持軸、          １３：他方の取付け部、
１４：支持筒、          １５：スプリング、
１６：グリース、        １７：係止片、
１８：係合部、          １９：操作片、
２０、２０Ａ、２０Ｂ、２０Ｃ、２０Ｄ：カバー体。
【図１】
2004201949.tif 000003
【図２】
2004201949.tif 000004
【図３】
2004201949.tif 000005
【図４】
2004201949.tif 000006
【図５】
2004201949.tif 000007
【図６】
2004201949.tif 000008
【図７】
2004201949.tif 000009
【図８】
2004201949.tif 000010
【図９】
2004201949.tif 000011
【図１０】
2004201949.tif 000012
【図１１】
2004201949.tif 000013
【図１２】
2004201949.tif 000014
【図１３】
2004201949.tif 000015
【図１４】
2004201949.tif 000016
【図１５】
2004201949.tif 000017
【図１６】
2004201949.tif 000018
【図１７】
2004201949.tif 000019
【図１８】
2004201949.tif 000020
【図１９】
2004201949.tif 000021
【図２０】
2004201949.tif 000022
【図２１】
2004201949.tif 000023